(57)【要約】【課題】防塵ガラスが取っ手から剥れない防塵ガラスユニットを提供する。【解決手段】複写複合機の機内に気密性を持たせるために使用する抜き差し可能な防塵ガラスユニットＡにおいて、取っ手部分３と防塵ガラス１を把持する把持部分６とを備えた取っ手２を有することを特徴とする。【選択図】      図２
2004177432.tif 000002
【特許請求の範囲】
【請求項１】
複写複合機の機内に気密性を持たせるために使用する抜き差し可能な防塵ガラスユニットにおいて、取っ手部分と防塵ガラスを把持する把持部分とを備えた取っ手を有することを特徴とする防塵ガラスユニット。
【請求項２】
前記把持部分に前記防塵ガラスを収納し、前記取っ手部分の第１の溝部に押さえ部材を収納して前記防塵ガラスを押さえ、締結部で前記防塵ガラスと前記取っ手とを一体化したことを特徴とする請求項１記載の防塵ガラスユニット。
【請求項３】
前記把持部分に第２の溝部と突起を有することを特徴とする請求項１記載の防塵ガラスユニット。
【請求項４】
前記防塵ガラスが孔または、切り欠き部を有することを特徴とする請求項１記載の防塵ガラスユニット。
【請求項５】
前記第２の溝の内側に突き出る突起部である前記突起と、前記防塵ガラスの孔または切り欠き部が嵌合し、前記第２の溝と前記防塵ガラスの短手寸法部分が嵌合することを特徴とする請求項３記載の防塵ガラスユニット。
【発明の詳細な説明】
【０００１】
【発明の属する技術分野】
本発明は、複写複合機の機内に気密性を持たせるために使用する抜き差し可能な防塵ガラスユニットに関するものである。
【０００２】
【従来の技術】
レーザ光源の光変調器、光学レンズ群および光偏光器を有するハウジングと感光体との間には、気密性と感光体などから多発する塵を防ぐフイルタの役目を持つ防塵ガラスがある。
防塵ガラスが塵で汚れてくると、変調光を感光体に正確に集光させる機能が低下しコピー画像に悪影響を与える。そのため防塵ガラスの表面に付着した塵を定期的に取り除かなければならない。複写複合機の種類によっては、防塵ガラスをハウジングに固定するタイプもある。この場合、防塵ガラスの清掃が必要となったとき、機械の一部を取り外して清掃する設計となっている。
複写複合機の前扉を開けて、防塵ガラスを抜き出し清掃できる抜き差し可能な防塵ガラスは、当然、手で掴む部分が常に手前に出ていることになる。抜き差し作業は、組み立て時とメンテナンスのときである。
これらの作業のときに、防塵ガラスに強い衝撃を与え手前に出ている部分を破損すると、１）防塵ガラスが取り出せなくなる、２）怪我をする、３）破損部材が気密部分に入り込んでしまう等の不都合を生じる。そのために防塵ガラスに取っ手を付けている。
差し込み部に防塵ガラスユニットを差し込むと、取っ手と防塵ガラスが接着されている部分までが入り込み、手で掴む部分が残るため取っ手に強い衝撃（破壊限度以下）が加わっても、防塵ガラスと取っ手は破損することもないので、常に良好な画像を得るための定期的な清掃が可能となる。これらの理由のため、防塵ガラスには取っ手が必要で、この取っ手が非常に重要な働きを有する。
【０００３】
【発明が解決しようとする課題】
図２１は従来の防塵ガラスユニットを示す上面図である。図２２は図２１の防塵ガラスユニットの正面図である。取っ手２３と防塵ガラス２４は、両面テープ２５を用いて貼り付けて一体化されている。貼り付け面の広さ２６は１６ｍｍ×１８ｍｍで、１５ｍｍ×３４０ｍｍの長尺の防塵ガラス２４は、テコの原理で非常に剥がれ易い設計（引剥力２０Ｎ）となっている。
組み立てやメンテナンスのときに誤って剥がれ易い方向に力を加えてしまうと防塵ガラス２４が取っ手２３より剥れてしまう問題がある。また、前記の力が加わって接着力が低下したままの状態で差し込み口に入れると差し込み口の中で防塵ガラスが剥れて取り出せなくなる問題もある。
そこで本発明の目的は、上記の問題点を解決するために、防塵ガラスが取っ手から剥れない防塵ガラスユニットを提供することにある。
【０００４】
【課題を解決するための手段】
前記の課題を解決するために、請求項１記載の発明では、複写複合機の機内に気密性を持たせるために使用する抜き差し可能な防塵ガラスユニットにおいて、取っ手部分と防塵ガラスを把持する把持部分とを備えた取っ手を有する防塵ガラスユニットを最も主要な特徴とする。
請求項２記載の発明では、前記把持部分に前記防塵ガラスを収納し、前記取っ手部分の第１の溝部に押さえ部材を収納して前記防塵ガラスを押さえ、締結部で前記防塵ガラスと前記取っ手とを一体化したことを特徴とする請求項１記載の防塵ガラスユニットを主要な特徴とする。
請求項３記載の発明では、前記把持部分に第２の溝部と突起を有する請求項１記載の防塵ガラスユニットを主要な特徴とする。
請求項４記載の発明では、前記防塵ガラスが孔または、切り欠き部を有する請求項１記載の防塵ガラスユニットを主要な特徴とする。
請求項５記載の発明では、前記第２の溝の内側に突き出る突起部である前記突起と前記孔または切り欠き部が嵌合し、前記第２の溝と前記防塵ガラスの短手寸法部分が嵌合することを特徴とする請求項３記載の防塵ガラスユニットを主要な特徴とする。
【０００５】
【発明の実施の形態】
以下、図面により本発明の実施の形態を詳細に説明する。図１は複写複合機の書き込みユニットに使用される本発明による防塵ガラスユニットの第１の実施の形態を示す上面図である。図２は図１の防塵ガラスユニットの正面図である。
図１および図２において、防塵ガラス１には後述する突起と嵌合して取っ手２が取り付けられている。防塵ガラス１上には押さえ部材（後述）が配置してある。以下で取っ手２を図３ないし図６を参照して詳細に説明する。
図３は本発明による防塵ガラスユニットに使用する取っ手の第１の実施の形態を示す正面図である。図４は図３の取っ手を示す上面図である。図５は図３の取っ手の左側面図である。図６は図３の取っ手の右側面図である。
図７は防塵ガラスを押さえるのに使用する押さえ部材９を示す上面図である。図８は図７の押さえ部材９の幅寸法を示す概略図である。図９は本発明による防塵ガラスユニットに使用する防塵ガラスの第１の実施の形態を示す上面図である。図１０は図９の防塵ガラスの厚さを示す概略図である。
【０００６】
図３ないし図８に示す如く、取っ手２の取っ手部分３は上面に細幅の第１の溝部５を有し、この第１の溝部５内に締結部４ａ、４ｂを備えている。第１の溝部５の深さ（矢印Ａ）は、図７の押さえ部材９の厚さ（矢印Ｂ）と同じでよい。また、第１の溝部５の幅（図６の矢印Ｃ）は、同じく押さえ部材９（図７）の幅寸法（矢印Ｄ）より０．１ｍｍ大きくしてある。
把持部分６は第２の溝部７とこの第２の溝部７内の突起８を有している。突起８に対し第２の溝部７の深さは約０．５ｍｍ浅くしてある。突起８の長さ（矢印Ｇ）は、防塵ガラス１（図９）の厚さ（図１０の矢印Ｅ）より０．２ｍｍ短くしてある。その太さは（図３の矢印Ｈ）は、防塵ガラス１の貫通孔１ａの径よりほぼ０．１ｍｍ小さくしてある。
突起８の位置は組み立て時に防塵ガラス１の貫通孔１ａと嵌合するように加工されている。取っ手部分３と把持部分６の境界部１０は段差状の形状部分となっている。押さえ部材９には、締結用の穴１２ａ、１２ｂが開いている。
この締結用の穴１２ａ、１２ｂは、締結部４ａ、４ｂと組み立て時に同じ位置になるように作られている。また、その穴は、１つでも複数でもよい。防塵ガラス１の貫通孔１ａは、突起８と嵌合の関係になっている。
図１および図２に戻って、図１および図２は本発明による防塵ガラスユニットを示している。図４の取っ手２の第２の溝部７と突起８に嵌合するように、防塵ガラス１を合わせる。そして、図７の押さえ部材９を締結手段４ａ、４ｂ、１２ａ、１２ｂを用いて組み立てると、図１の防塵ガラスユニットＡが完成する。
防塵ガラス１の厚み（矢印Ｅ）は、第２の溝部７と押さえ部材９との平行関係にある間隔距離より０．０５ｍｍ薄めに作っておき、組み立て時の防塵ガラス１への組み立て応力つまり変形を極力抑えるようにしてある。
【０００７】
図１１は本発明による防塵ガラスユニットに使用する取っ手の第２の実施の形態を示す正面図である。図１２は図１１の取っ手を示す上面図である。図１３は図１１の取っ手の左側面図である。図１４は図１１の取っ手の右側面図である。
図１１ないし図１４において、取っ手２は突起として第２の溝部７の内側面１３、１３から内側に突き出る突起部１４、１４を備えている。
図１５は取っ手の第２の実施の形態において使用する防塵ガラスの第２の実施の形態を示す上面図である。防塵ガラス１には切り欠き部１５、１５があり、突起部１４、１４と切り欠き部１５、１５が嵌合するようになっている。図３の取っ手２とは、突起８と突起部１４、１４を除けば同じである。
図１６は本発明による防塵ガラスユニットの第２の実施の形態を示す上面図である。図１７は図１６の防塵ガラスユニットの正面図である。図１２の取っ手２の幅（矢印Ｆ）と突起部１４、１４に嵌合するように防塵ガラス１の切欠き部１５、１５を合わせる。そして、図７の押さえ部材９を締結手段１９ａ、１９ｂを用いて組み立てると図１６の防塵ガラスユニットＡが完成する。
【０００８】
図１８は本発明による防塵ガラスユニットにおいて使用する防塵ガラスの第３の実施の形態を示す上面図である。図１９は本発明による防塵ガラスユニットの第３の実施の形態を示す上面図である。図２０は図１９の防塵ガラスユニットの正面図である。
この実施の形態の場合は、図１２の突起部１４、１４を１つ省略したものである。その突起部１４に合うように、図１８に示した切り欠き部１５を有する防塵ガラス１を使用する。切り欠き部１５と取っ手２の把持部分６の持つ突起１４が嵌合するようになっている。
前記の突起部１４のない取っ手２の第２の溝部７側に突起部１４と嵌合するように防塵ガラス１を合わせる。そして、図７の押さえ部材９を締結手段によって組み立てると図１９の防塵ガラスユニットＡが完成する。
取っ手２の材料は金属でも樹脂でもよい。突起８形状は円筒でも、三角柱でも四角柱等いずれでもよい。突起部１４、１４の形状は半円でも、三角でも、四角でもよい。
【０００９】
【発明の効果】
以上説明したように、請求項１によれば、防塵ガラスを把持する部材を有しているので、防塵ガラスが剥れることなく確実に固定できる。
請求項２によれば、把持部分に防塵ガラスを収納し、取っ手部分の溝に押さえ部材を収納して防塵ガラスを押さえ、締結部で防塵ガラスと取っ手を一体化したので確実に固定ができ、さらにはリサイクルできる。
請求項３によれば、把持部分に溝部と突起を、取っ手部分には溝部を設けたので、一体化後に防塵ガラスが抜けたり、ずれることもなく確実に固定できる。
請求項４によれば、防塵ガラスには孔や切り欠き部を設けたので、防塵ガラスが取っ手より抜けることがなく確実に固定できる。
請求項５によれば、突起と孔、または切り欠き部が嵌合し、溝部と防塵ガラスの短手寸法部（幅）が嵌合するので、防塵ガラスが抜けたり、ずれたり、変形することもなく確実に固定できる。
【図面の簡単な説明】
【図１】複写複合機の書き込みユニットに使用される本発明による防塵ガラスユニットの第１の実施の形態を示す上面図である。
【図２】図１の防塵ガラスユニットの正面図である。
【図３】本発明による防塵ガラスユニットに使用する取っ手の第１の実施の形態を示す正面図である。
【図４】図３の取っ手を示す上面図である。
【図５】図３の取っ手の左側面図である。
【図６】図３の取っ手の右側面図である。
【図７】防塵ガラスを押さえるのに使用する押さえ部材を示す上面図である。
【図８】図７の押さえ部材の幅寸法を示す概略図である。
【図９】本発明による防塵ガラスユニットに使用する防塵ガラスの第１の実施の形態を示す上面図である。
【図１０】図９の防塵ガラスの厚さを示す概略図である。
【図１１】本発明による防塵ガラスユニットに使用する取っ手の第２の実施の形態を示す正面図である。
【図１２】図１１の取っ手を示す上面図である。
【図１３】図１１の取っ手の左側面図である。
【図１４】図１１の取っ手の右側面図である。
【図１５】取っ手の第２の実施の形態において使用する防塵ガラスの第２の実施の形態を示す上面図である。
【図１６】本発明による防塵ガラスユニットの第２の実施の形態を示す上面図である。
【図１７】図１６の防塵ガラスユニットの正面図である。
【図１８】本発明による防塵ガラスユニットにおいて使用する防塵ガラスの第３の実施の形態を示す上面図である。
【図１９】本発明による防塵ガラスユニットの第３の実施の形態を示す上面図である。
【図２０】図１９の防塵ガラスユニットの正面図である。
【図２１】従来の防塵ガラスユニットを示す上面図である。
【図２２】図２１の防塵ガラスユニットの正面図である。
【符号の説明】
Ａ    防塵ガラスユニット
１    防塵ガラス
１ａ  貫通孔
２    取っ手
３    取っ手部分
４ａ  締結部
４ｂ  締結部
５    第１の溝部
６    把持部分
７    第２の溝部
８    突起
９    押さえ部材
１２ａ  締結部
１２ｂ  締結部
１４    突起部
１５    切欠き部
【図１】
2004177432.tif 000003
【図２】
2004177432.tif 000004
【図３】
2004177432.tif 000005
【図４】
2004177432.tif 000006
【図５】
2004177432.tif 000007
【図６】
2004177432.tif 000008
【図７】
2004177432.tif 000009
【図８】
2004177432.tif 000010
【図９】
2004177432.tif 000011
【図１０】
2004177432.tif 000012
【図１１】
2004177432.tif 000013
【図１２】
2004177432.tif 000014
【図１３】
2004177432.tif 000015
【図１４】
2004177432.tif 000016
【図１５】
2004177432.tif 000017
【図１６】
2004177432.tif 000018
【図１７】
2004177432.tif 000019
【図１８】
2004177432.tif 000020
【図１９】
2004177432.tif 000021
【図２０】
2004177432.tif 000022
【図２１】
2004177432.tif 000023
【図２２】
2004177432.tif 000024